(57)【特許請求の範囲】
【請求項１】
台座部と、該台座部の上部に設けられて開口部が形成された上面板とを備え、本体部及び該本体部から水平方向に突出したフランジ部を有する重量物の前記本体部が前記開口部に配置されて前記フランジ部が前記開口部の開口縁部に係止した状態で前記重量物が設置される重量物設置台において、
前記上面板は、
前記開口部の開口縁部の一部が該開口部の開口端縁から前記上面板の外周縁まで切り欠かれて形成された切欠部を備え、
該切欠部は、
前記重量物の本体部を前記上面板の外周縁側から前記開口部に向かって水平方向に移動可能な切欠幅を有し、
前記重量物のフランジ部が前記開口部の開口縁部に係止した状態で前記切欠部を閉止可能な閉止部を備えることを特徴とする重量物設置台。
【請求項２】
前記切欠部は、
前記上面板の前後方向における後方向に向かって切り欠かれて形成されたことを特徴とする請求項１に記載の重量物設置台。
【請求項３】
前記閉止部は、
基端及び先端を有する板状の閉止パネルであって、
該閉止パネルは、
前記基端において前記開口部の開口端縁に連結部材を介して前記上面板に設けられて前記先端が前記上面板の下方と該上面板との間で回動自在に形成され、
前記閉止パネルと前記上面板とが面一の状態で該閉止パネルと該上面板とを係止する係止部材が前記先端に設けられたことを特徴とする請求項１または２に記載の重量物設置台。
【請求項４】
前記閉止部は、
両側端部を有する板状の閉止パネルであって、
該閉止パネルは、
前記両側端部から外方に突出する凸部が該両側端部の延在方向に沿って形成され、
前記閉止パネルが前記切欠部に対して水平方向に移動されて該閉止パネルの凸部が係合する凹状の凹部が前記開口部の開口端縁に形成されたことを特徴とする請求項１または２に記載の重量物設置台。
【請求項５】
前記重量物は、加熱調理器であって、
前記本体部は、前記開口部の下方に配置される調理器本体部であって、
前記フランジ部は、前記調理器本体部の上部に設けられたパネル状のコンロ基板における該調理器本体部から水平方向に突出した部分であって、
前記フランジ部が前記上面板に係合された状態で前記調理器本体部が前記開口部に向かって水平移動されて前記フランジ部が前記開口部の開口縁部に係止した状態で前記調理器本体部が前記開口部に配置されることを特徴とする請求項１〜４のいずれか１項に記載の重量物設置台。
【発明の詳細な説明】
【技術分野】
【０００１】
本発明は、重量物設置台、特に、上面部に形成された開口部に重量物が配置されて設置される重量物設置台に関する。
【背景技術】
【０００２】
例えば、重量物をショールームに展示したり、重量物の使用目的に従って重量物をその使用場所に設置したりする場合に、重量物設置台が用いられることがある。この重量物設置台は、重量物の展示場所あるいは使用場所に載置される箱状あるいは筒状等の台座部を備え、この台座部の上部に上面板が設けられている。上面板には開口部が形成され、この開口部に重量物が配置されて重量物が重量物設置台に設置される。
【０００３】
このような重量物設置台として、重量物として電気式クッキングヒータを設置する場合の例が特許文献１に提案されている。特許文献１のヒータ設置台は、家屋等の壁部に接して取り付けられた台座部を備え、この台座部の上部に上面板が設けられている。上面板には略矩形に開口した開口部が形成され、この開口部に電気式クッキングヒータが配置されている。
【０００４】
電気式クッキングヒータは、流し台の上面板の開口部に配置されるヒータ本体を備え、このヒータ本体の上部に、ヒータ本体から水平方向に突出するフランジ部分を有するパネル状のコンロ基板が形成されている。
【０００５】
ヒータ本体が上面板の開口部の上方から開口部に配置された状態で、ヒータ本体から水平方向に突出したコンロ基板のフランジ部分の下面部がヒータ設置台の上面板に上方から当接することによって、コンロ基板のフランジ部分がその下面部において上面板に支持されて、電気式クッキングヒータがヒータ設置台に設置される。
【先行技術文献】
【特許文献】
【０００６】
【特許文献１】実開昭５７−７９３０２号公報
【発明の概要】
【発明が解決しようとする課題】
【０００７】
上記特許文献１によると、電気式クッキングヒータを流し台に設置するには、電気式クッキングヒータを流し台の上面板に形成された開口部の上方から開口部に配置する必要がある。すなわち、重量物である電気式クッキングヒータを、ヒータ設置台の上面板に形成された開口部よりも上方に持ち上げなければならないことから、電気式クッキングヒータの設置作業の負担が増大することとなる。
【０００８】
また、電気式クッキングヒータを開口部の上方から開口部に配置する際には、作業員がコンロ部のフランジ部分の下面部を持ってこの下面部をヒータ設置台の上面板に上方から当接させることから、コンロ基板のフランジ部分の下面部とヒータ設置台の上面板との間に作業員の手が挟まれないように注意する必要がある。従って、このような高度の作業安全性が要求される点からも、作業負担が増大することが考えられる。
【０００９】
更に、重量物である電気式クッキングヒータを持ち上げるには、複数の作業員で持ち上げる必要があることから、作業コストが増大することとなる。
【００１０】
本発明は、上記課題に鑑みてなされたものであり、その目的は、作業の安全性を確保し、作業負担及び作業コストを抑えたうえで、重量物の設置を容易に行うことができる重量物設置台を提供することにある。
【課題を解決するための手段】
【００１１】
上記目的を達成するための請求項１に記載の発明は、台座部と、該台座部の上部に設けられて開口部が形成された上面板とを備え、本体部及び該本体部から水平方向に突出したフランジ部を有する重量物の前記本体部が前記開口部に配置されて前記フランジ部が前記開口部の開口縁部に係止した状態で前記重量物が設置される重量物設置台において、前記上面板は、前記開口部の開口縁部の一部が該開口部の開口端縁から前記上面板の外周縁まで切り欠かれて形成された切欠部を備え、該切欠部は、前記重量物の本体部を前記上面板の外周縁側から前記開口部に向かって水平方向に移動可能な切欠幅を有し、前記重量物のフランジ部が前記開口部の開口縁部に係止した状態で前記切欠部を閉止可能な閉止部を備えることを特徴とする。
【００１２】
この構成によると、上面板の開口部と連続する切欠部が、開口部の開口縁部の一部が開口端縁から上面板の外周縁まで切り欠かれて形成されていることから、重量物を重量物設置台の切欠部に対して水平方向に対向配置する高さ位置まで持ち上げ、この持ち上げた重量物を切欠部から開口部に向かって水平方向に移動させて開口部内に進入させることで、重量物の本体部を開口部内に配置することができる。
【００１３】
従って、重量物を、上面板に形成された開口部よりも上方に持ち上げる必要がなく、作業員が単独で重量物を重量物設置台に容易に設置することができる。しかも、作業員が単独で設置できることから、重量物の設置の際の作業コストを削減することができる。
【００１４】
更に、重量物を切欠部から開口部に向かって水平方向に移動させて開口部内に進入させて、重量物の本体部を開口部内に配置することから、作業員がフランジ部を持ってこのフランジ部を上面板に上方から当接させる必要がない。従って、フランジ部と上面板との間に作業員の手が挟まれることがなく、作業安全性を十分に確保することができる。
【００１５】
そのうえ、重量物を重量物設置台に設置した状態で、切欠部を閉止部によって閉止することにより、重量物が重量物設置台に安定的に設置され、かつ切欠部が閉止されることから、重量物設置台の全体の美観を損ねることもない。
【００１６】
請求項２に記載の発明は、請求項１に記載の重量物設置台において、前記切欠部は、前記上面板の前後方向における後方向に向かって切り欠かれて形成されたことを特徴とする。
【００１７】
この構成によると、切欠部が、上面板の前後方向における後方向に向かって切り欠かれて形成されていることから、重量物設置台において目立ちにくい後方部に切欠部を形成することによって、重量物設置台の全体の美観性が向上する。
【００１８】
請求項３に記載の発明は、請求項１または２に記載の重量物設置台において、前記閉止部は、基端及び先端を有する板状の閉止パネルであって、該閉止パネルは、前記基端において前記開口部の開口端縁に連結部材を介して前記上面板に設けられて前記先端が前記上面板の下方と該上面板との間で回動自在に形成され、前記閉止パネルと前記上面板とが面一の状態で該閉止パネルと該上面板とを係止する係止部材が前記先端に設けられたことを特徴とする。
【００１９】
この構成によると、閉止部は基端及び先端を有する板状の閉止パネルとして形成され、この閉止パネルは、先端が上面板の下方と上面板との間で回動自在に上面板に設けられている。この閉止パネルを、上面板の下方から上方に向かって回動させることによって、閉止パネルと上面板とが面一となって切欠部を閉止し、閉止パネルと上面板とを係止することが可能となることから、重量物を設置した後であっても、切欠部を容易に閉止することができる。
【００２０】
請求項４に記載の発明は、請求項１または２に記載の重量物設置台において、前記閉止部は、両側端部を有する板状の閉止パネルであって、該閉止パネルは、前記両側端部から外方に突出する凸部が該両側端部の延在方向に沿って形成され、前記閉止パネルが前記切欠部に対して水平方向に移動されて該閉止パネルの凸部が係合する凹状の凹部が前記開口部の開口端縁に形成されたことを特徴とする。
【００２１】
この構成によると、閉止部は両側端部を有する板状の閉止パネルとして形成され、重量物を重量物設置台に設置した後に、閉止パネルを切欠部に対して水平方向に移動させて閉止パネルの凸部と開口端縁の凹部とを係合させることにより、閉止パネルが切欠部に装着される。従って、閉止パネルを切欠部に対して水平方向に移動させる簡易な動作により、切欠部を閉止することができる。
【００２２】
請求項５に記載の発明は、請求項１〜４のいずれか１項に記載の重量物設置台において、前記重量物は、加熱調理器であって、前記本体部は、前記開口部の下方に配置される調理器本体部であって、前記フランジ部は、前記調理器本体部の上部に設けられたパネル状のコンロ基板における該調理器本体部から水平方向に突出した部分であって、前記フランジ部が前記上面板に係合された状態で前記調理器本体部が前記開口部に向かって水平移動されて前記フランジ部が前記開口部の開口縁部に係止した状態で前記調理器本体部が前記開口部に配置されることを特徴とする。
【００２３】
この構成は、重量物を具体的な加熱調理器に限定したものであり、加熱調理器が、調理器本体部及び調理器本体部の上部に設けられたパネル状のコンロ基板における調理器本体部から水平方向に突出した部分であるフランジ部を備える。かかる構成の加熱調理器を、フランジ部が上面板に係合された状態で調理器本体部を開口部に向かって水平方向に移動させる簡易な動作によって、作業の安全性を確保し、かつ作業負担及び作業コストを抑えたうえで重量物設置台に容易に設置することができる。
【発明の効果】
【００２４】
この発明によれば、重量物を、上面板の開口部と連続して形成された切欠部に対して水平方向に対向配置される高さ位置まで持ち上げ、持ち上げた重量物を切欠部から開口部に向かって水平方向に移動させて開口部内に進入させることで、重量物の本体部を開口部内に配置することができる。すなわち、重量物を、上面板に形成された開口部よりも上方に持ち上げる必要がなく、作業員が単独で重量物を重量物設置台に容易に設置することができる。従って、重量物を設置する際の作業コスト及び作業負担を軽減することが可能となる。
【００２５】
更に、重量物を切欠部から開口部に向かって水平方向に移動させることによって重量物を重量物設置台に設置することができることから、従来のように、開口部の上方から重量物を開口部に配置する必要がない。その結果、フランジ部と上面板との間に作業員の手が挟まれることがなくなり、作業安全性が十分に確保されることから、高度の作業安全性を要求されることがなく、作業負担の増大を招くことがなくなる。
【００２６】
更に、重量物を重量物設置台に設置した状態で、切欠部を閉止部によって閉止することにより、重量物が重量物設置台から不意に落下することが防止される。従って、重量物が重量物設置台に安定的に設置される。しかも、切欠部が閉止部によって閉止されることから、重量物設置台の全体の美観を損ねることもない。
【図面の簡単な説明】
【００２７】
【図１】本実施の形態に係る重量物設置台の概略を説明する図である。
【図２】同じく、本実施の形態に係る重量物設置台の概略を説明する分解図である。
【図３】背面からみた重量物設置台の概略を説明する図である。
【図４】重量物設置台の上面板の下面部の概略説明図である。
【図５】他の実施の形態に係る重量物設置台の概略を説明する図である。
【発明を実施するための形態】
【００２８】
次に、本発明の実施の形態について、図１〜図４に基づいて説明する。なお、本実施の形態において、重量物設置台が、重量物をショールーム等で展示するための展示台であり、重量物が、加熱調理器である場合を例として説明する。
【００２９】
図１は本実施の形態に係る展示台１０の概略を説明する図であり、図２は、展示台１０の概略を説明する分解図である。展示台１０の説明に先立って、まず、展示台１０に設置される加熱調理器１００の概略を説明する。
【００３０】
図１及び図２で示すように、加熱調理器１００は、ロースタ１０２ａや操作部１０２ｂを有する調理器本体部１０２を有し、調理器本体部１０２の上部に設けられて調理器本体部１０２から水平方向に突出するパネル状のコンロ基板１０４を有して形成される。
【００３１】
このコンロ基板１０４は、コンロ基板１０４における調理器本体部１０２から水平方向に突出した部分が、展示台１０に係合するフランジ部１０４ａとして構成されている。
【００３２】
展示台１０は、このような加熱調理器１００が設置されて加熱調理器１００を展示するために用いられるものであり、台座部１２、この台座部１２の上部に設けられた上面板１４、上面板１４に形成された開口部１６を備える。
【００３３】
上面板１４は、開口部１６の開口縁部１６ａの一部が開口部１６の開口端縁１６ｂから上面板１４の外周縁１４ｃまで切り欠かれて形成されて加熱調理器１００の調理器本体部１０２を上面板１４の外周縁１４ｃ側から開口部１６に向かって水平方向に移動可能な切欠幅を有する切欠部１８を有する。
【００３４】
上記構成を有する展示台１０に、加熱調理器１００のコンロ基板１０４におけるフランジ部１０４ａが開口縁部１６ａに係止した状態で調理器本体部１０２が開口部１６の下方に配置されて、加熱調理器１００が設置される。
【００３５】
更に展示台１０は、加熱調理器１００が設置された状態で、切欠部１８を閉止可能な閉止部となる閉止パネル２０を備える。
【００３６】
次に、本実施の形態における展示台１０の各部の具体的構成について説明する。
【００３７】
台座部１２は、正面部１２Ａ、及び正面部１２Ａの両端に蝶番等の連結部材を介して設けられて正面部１２Ａに対して折畳み可能に形成された側面部１２Ｂ及び１２Ｃを有し、側面部１２Ｂ及び１２Ｃが正面部１２Ａに対して起立した状態で断面略コ字状に形成される。
【００３８】
この台座部１２の内側面、すなわち正面部１２Ａ、側面部１２Ｂ及び１２Ｃによって囲まれた部分に、側面部１２Ｂ及び１２Ｃに形成されたストッパ１２ａを介して棚板１２Ｄが設けられて、側面部１２Ｂ及び１２Ｃが正面部１２Ａに対して起立して組み立てられた台座部１２が補強される。
【００３９】
台座部１２の正面部１２Ａの上部には、上部から下部に向かって切り欠かれた窓部１２ｂが形成され、加熱調理器１００が開口部１６に配置された状態で、この窓部１２ｂから調理器本体部１０２のロースタ１０２ａや操作部１０２ｂが外部に露出する。
【００４０】
なお、この台座部１２の下部に、図示しない公知の転動部材、例えばキャスタ等を設けておけば、展示台１０に加熱調理器１００を設置した後に、展示台１０を所望の設置場所に容易に移動させることが可能となる。
【００４１】
上面板１４は、上面部１４ａ及び下面部１４ｂを有し、外周縁１４ｃが略矩形であって全体が平板状に形成される。上面板１４の下面部１４ｂには、側面部１２Ｂ及び１２Ｃが正面部１２Ａに対して起立して組み立てられた状態の台座部１２の上部において、台座部１２の内側面に当接するほぞ状の突起部１４ｄが形成されている。
【００４２】
この上面板１４は、その中央部分に大きく形成された略矩形の開口部１６、及びこの開口部１６から連続して形成された切欠部１８を備える。開口部１６は、開口縁部１６ａによって囲まれた領域であり、調理器本体部１０２が配置された状態で、調理器本体部１０２と開口部１６の開口端縁１６ｂとの間に十分な間隙を有するように形成される。
【００４３】
切欠部１８は、開口部１６の開口縁部１６ａの一部、本実施の形態では図２において矢線ＦＲで示す上面板１４の前後方向における後方向Ｒ側の開口縁部が、上面板１４の外周縁１４ｃ側に向かってその全体が切り欠かれることによって形成され、開口部１６の開口端縁１６ｂと上面板１４の外周縁１４ｃとが連続する。
【００４４】
すなわち、切欠部１８は、図２において矢線Ｗで示す開口部１６の幅方向における開口縁部１６ａの長さと同じ長さを有し、調理器本体部１０２を、上面板１４の外周縁１４ｃ側から開口部１６に向かって水平方向に移動可能な切欠幅を有して形成される。この切欠部１８は、閉止パネル２０によって閉止される。
【００４５】
図３は、背面からみた展示台１０の概略を説明する図であり、図４は、展示台１０の上面板１４の下面部１４ｂの概略説明図である。図示のように、閉止パネル２０は、基端２０Ａ及び先端２０Ｂを有する板状に形成され、基端２０Ａにおいて、上面板１４の下面部１４ｂに設けられた蝶番等によって構成される連結部材２０ａを介して上面板１４に設けられ、上面板１４の下方と上面板１４との間で先端２０Ｂ側が回動自在に設けられている。
【００４６】
閉止パネル２０の先端２０Ｂ側の下面には、閉止パネル２０と上面板１４とが面一の状態で閉止パネル２０と上面板１４とを係止させる係止部材２０ｂが設けられている。閉止パネル２０と上面板１４とが係止されていない状態では、閉止パネル２０の先端２０Ｂ側が上面板１４に対して垂下する。
【００４７】
上記構成を有する展示台１０は、例えば、展示会や博覧会、あるいは製品販促用のショールーム等において、加熱調理器１００を設置して展示するために用いられる。加熱調理器１００の設置に先立って、加熱調理器１００を展示する場所において展示台１０を予め組み立てておく。
【００４８】
組み立てられた展示台１０に加熱調理器１００を設置するには、まず、加熱調理器１００を、組み立てられた展示台１０の上面板１４における切欠部１８に対して水平方向に対向させて配置する。加熱調理器１００が、展示台１０の切欠部１８に対して水平方向に対向配置される高さ位置は、作業員の腰あるいはその若干上部または下部の位置であることが通常であり、およそ１０〜１５ｋｇの加熱調理器１００をこの高さ位置まで持ち上げることは、作業員が一人であっても通常は可能である。
【００４９】
切欠部１８に対して対向配置された加熱調理器１００の調理器本体部１０２が、切欠部１８から開口部１６に向かって進入するように位置決めするとともに、加熱調理器１００のコンロ基板１０４におけるフランジ部１０４ａを上面板１４の上面部１４ａに係合させる。
【００５０】
加熱調理器１００のフランジ部１０４ａを上面板１４の上面部１４ａに係合させる場合、フランジ部１０４ａの前端部側、すなわち図２における上面板１４の前方向Ｆ側に配置されるフランジ部１０４ａの部分を上面板１４の上面部１４ａに係合させる。この部分をまず係合させるのであれば、フランジ部１０４ａの下面部と上面板１４の上面部１４ａとの間に作業員の手が挟まれることもないことから、作業安全性が確保される。
【００５１】
加熱調理器１００のフランジ部１０４ａの前端部側が、上面板１４の上面部１４ａに係合された状態において、加熱調理器１００を開口部１６に向かって押して、上面板１４の上面部１４ａに加熱調理器１００のフランジ部１０４ａを摺動させながら、加熱調理器１００の調理器本体部１０２を開口部１６内に進入させる。加熱調理器１００は、その調理器本体部１０２が開口部１６における展示台１０の前方の開口端縁１６ｂに当接するまで、開口部１６内に進入せしめられる。
【００５２】
加熱調理器１００が開口部１６内に進入して調理器本体部１０２が開口部１６の前方の開口端縁１６ｂに当接した状態においては、フランジ部１０４ａが上面板１４における開口部１６の開口縁部１６ａに係止している。
【００５３】
すなわち、コンロ基板１０４のフランジ部１０４ａの下面部が、上面板１４の上面部１４ａに上方から当接することによってフランジ部１０４がその下面部において上面板１４に支持される。
【００５４】
フランジ部１０４ａを開口部１６の開口縁部１６ａに係止させた状態において、閉止パネル２０を、図３において矢線Ｕで示す上方向に向かって回動させて閉止パネル２０の上面側と上面板１４の上面部１４ａとを面一とし、閉止パネル２０の先端２０Ｂの係止部材２０ｂによって閉止パネル２０と上面板１４とを係止させる。これにより、切欠部１８が閉止パネル２０によって閉止された状態に保持される。
【００５５】
上記の手順によって、加熱調理器１００を展示台１０に設置することができる。
【００５６】
このように、本実施の形態の展示台１０によると、開口部１６の開口端縁１６ｂと上面板１４の外周縁１４ｃとが連続して上面板１４の開口部１６と連続する切欠部１８が形成されていることから、加熱調理器１００を展示台１０の切欠部１８に対して水平方向に対向配置する高さ位置まで持ち上げ、この持ち上げた加熱調理器１００を切欠部１８から開口部１６に向かって水平方向に移動させて開口部１６内に進入させて、調理器本体部１０２を開口部１６内に配置することができる。
【００５７】
従って、１０〜１５ｋｇの重量物である加熱調理器１００を、上面板１４に形成された開口部１６よりも上方に持ち上げる必要がなく、作業員が単独で加熱調理器１００を展示台１０に容易に設置することができる。しかも、作業員が単独で設置できることから、加熱調理器１００の設置の際の作業コストを削減することができる。
【００５８】
更に、加熱調理器１００を切欠部１８から開口部１６に向かって水平方向に移動させて開口部１６内に進入させて、調理器本体部１０２を開口部１６内に配置することから、作業員がコンロ部１０４のフランジ部１０４ａの下面部を持ってこの下面部を上面板１４の上面部１４ａに上方から当接させる必要がない。従って、フランジ部１０４ａの下面部と上面板１４との間に作業員の手が挟まれることがなく、作業安全性を十分に確保することができる。
【００５９】
加熱調理器１００を展示台１０に設置した状態で、切欠部１８を閉止パネル２０によって閉止することにより、加熱調理器１００が展示台１０に安定的に設置され、かつ切欠部１８が閉止されることから、展示台１０の全体の美観を損ねることもない。
【００６０】
しかも、上面板１４に対して回動自在に上面板１４に設けられた閉止パネル２０を上方向Ｕに向かって回動させることによって切欠部１８が閉止されることから、加熱調理器１００を設置した後であっても、切欠部１８を容易に閉止することができる。
【００６１】
なお、本発明は上記実施の形態に限定されることはなく、発明の趣旨を逸脱しない範囲で種々変更可能である。上記実施の形態では、閉止パネル２０が、上面板１４に対して回動自在に上面板１４に設けられた場合について説明したが、例えば、図５で示すように、上面板１４とは別部材の閉止パネル３０として構成してもよい。
【００６２】
図示のように、この閉止パネル３０は、切欠部１８に嵌合する長尺方向の長さを有する前端部３０ａ及び後端部３０ｂを備えた平面視略長方形であって、短尺方向の両側端部３０ｃには、両側端部３０ｃの延在方向すなわち閉止パネル３０の短尺方向に沿って延在するとともに閉止パネル３０の長尺方向外方に向かって突出する凸部３０ｄが形成される。
【００６３】
一方、矢線ＦＲで示す上面板１４の前後方向における開口部１６の開口端縁１６ｂには、閉止パネル３０の凸部３０ｄと係合する凹部１６ｃが開口端縁１６ｂに沿って延在して形成される。
【００６４】
加熱調理器１００を展示台１０に設置した後に、この閉止パネル３０を切欠部１８に対して水平方向に移動することによって、閉止パネル３０の凸部３０ｄと開口端縁１６ｂの凹部１６ｃとが係合して、閉止パネル３０と上面板１４とが面一となって閉止パネル３０が切欠部１８に装着される。これにより、閉止パネル３０を切欠部１８に対して水平方向に移動させる簡易な動作により、切欠部１８を閉止することができる。
【００６５】
上記実施の形態では、重量物設置台が展示台１０である場合を説明したが、例えば、重量物設置台は、居住用住宅のキッチンにおける加熱調理器を設置するヒータ設置台であってもよい。このヒータ設置台は、シンク等と一体に形成されたシステムキッチンであってもよい。
【００６６】
上記実施の形態では、重量物である加熱調理器の種別については特に説明をしていないが、ＩＨ式加熱調理器あるいはガスコンロのいずれであってもよく、加熱調理器の種別に限定されるものではない。
【００６７】
更に、上面板１４の前後方向における開口部１６の開口縁部１６ａに、上面板１４の前後方向に回転自在となるローラを設けてもよい。これにより、加熱調理器１００を展示台１０に設置する際に、上面板１４の上面部１４ａに加熱調理器１００のフランジ部１０４ａが直接当接することがなく、フランジ部１０４ａがローラに当接することから、加熱調理器１００を開口部１６に向かって押動するとローラが回転して、加熱調理器１００の調理器本体部１０２の開口部１６内への進入が介助される。従って、展示台１０への加熱調理器１００の設置が容易になる。
【符号の説明】
【００６８】
１０    展示台（重量物設置台）
１２    台座部
１４    上面板
１４ｃ    外周縁
１６    開口部
１６ａ    開口縁部
１６ｂ    開口端縁
１８    切欠部
２０、３０    閉止パネル（閉止部）
１００    加熱調理器（重量物）
１０２    調理器本体部（本体部）
１０４    コンロ基板
１０４ａ    フランジ部
【図１】
0005917301.tif 000002
【図２】
0005917301.tif 000003
【図３】
0005917301.tif 000004
【図４】
0005917301.tif 000005
【図５】
0005917301.tif 000006